(57)【特許請求の範囲】
【請求項１】
枠体の錠取付け面には係止部材が突設されるとともに、錠が連結固定された固定部材には前記係止部材に対して挿抜可能な係合孔が形成され、前記固定部材または前記枠体には回動操作可能な回動カムが設けられ、該回動カムを、枠体側の当接部または固定部材側の当接部に当接させた状態で回動操作することによって、前記固定部材を錠取付け面に沿って相対的にスライド変位させて、枠体の係止部材と固定部材の係合孔とを係止固定することを特徴とする遊技台の錠取り付け構造。
【請求項２】
前記係止部材は、枠体から延びる軸部と該軸部よりも錠取付け面に対する投影面積が大きい頭部とを有し、前記固定部材の前記係合孔は、前記頭部が挿通可能な大孔部と前記軸部のみが挿通可能な小孔部とが連通して形成され、偏心状の前記回動カムの回動操作に伴う固定部材の前記スライド変位によって前記固定部材の小孔部が前記頭部の位置に変位して係止固定する請求項１記載の遊技台の錠取り付け構造。
【請求項３】
前記固定部材の前記係合孔の周囲の係合面をテーパ状に形成し、固定部材の前記スライド変位によって固定部材が前記枠体側に締め上げ押圧される請求項１または２記載の遊技台の錠取り付け構造。
【請求項４】
前記回動カムに当接させる枠体側の当接部と前記係止部材とを兼用した請求項１ないし３のいずれかに記載の遊技台の錠取り付け構造。
【請求項５】
前記錠と前記固定部材とを一体成形した請求項１ないし４のいずれかに記載の遊技台の錠取り付け構造。
【発明の詳細な説明】
【０００１】
【発明の属する技術分野】
本発明は、パチンコ台などの遊技台に錠を取り付ける構造に関する。
【０００２】
【従来の技術】
従来、パチンコ台などの遊技台においては、固定台枠に遊技盤を備えた後扉が揺動開閉可能に取り付けられるとともに、この後扉の前面に透明ガラスを張った前扉が揺動開閉可能に支持された構造となっており、後扉および前扉に作用する錠が、いわゆる鍵竿に取り付けられ、この鍵竿がパチンコ台の木枠に木ネジを用いて締めつけ固定されていた。
【０００３】
【発明が解決しようとする課題】
パチンコ台を廃棄する場合には、パチンコ台の木枠から金属製の錠および鍵竿を取り外して再利用を図ることが望まれるが、錠が取り付けられた鍵竿は、複数箇所でネジ止め固定されているので、その分解取り外しには、手数がかかるものであり、多数台の処理に多大な労力と時間がかかり、リサイクル性の悪いものであった。
【０００４】
本発明は、このような点に着目してなされたものであって、錠を簡単容易に脱着することができるようにすることを主たる目的とする。
【０００５】
【課題を解決するための手段】
本発明では、上記目的を達成するために、次のように構成している。
【０００６】
すなわち、請求項１に係る発明の錠取り付け構造は、枠体の錠取付け面には係止部材が突設されるとともに、錠が連結固定された固定部材には前記係止部材に対して挿抜可能な係合孔が形成され、前記固定部材または前記枠体には回動操作可能な回動カムが設けられ、該回動カムを、枠体側の当接部または固定部材側の当接部に当接させた状態で回動操作することによって、前記固定部材を錠取付け面に沿って相対的にスライド変位させて、枠体の係止部材と固定部材の係合孔とを係止固定するものである。
【０００７】
請求項２に係る発明の錠取り付け構造は、請求項１記載の発明において、前記係止部材は、枠体から延びる軸部と該軸部よりも錠取付け面に対する投影面積が大きい頭部とを有し、前記固定部材の前記係合孔は、前記頭部が挿通可能な大孔部と前記軸部のみが挿通可能な小孔部とが連通して形成され、偏心状の前記回動カムの回動操作に伴う固定部材の前記スライド変位によって前記固定部材の小孔部が前記頭部の位置に変位して係止固定するものである。
【０００８】
請求項３に係る発明の錠取り付け構造は、請求項１または２記載の発明において、前記固定部材の前記係合孔の周囲の係合面をテーパ状に形成し、固定部材の前記スライド変位によって固定部材が前記枠体側に締め上げ押圧されるようにしている。
【０００９】
請求項４に係る発明の錠取り付け構造は、請求項１ないし３のいずれかの発明において、前記回動カムに当接させる枠体側の当接部と前記係止部材とを兼用している。
【００１０】
請求項５に係る発明の錠取り付け構造は、請求項１ないし４のいずれかの発明において、前記錠と前記固定部材とを一体成形している。
【００１１】
〔作用〕
請求項１に係る発明の構成によると、錠を取り付けた固定部材の係合孔を、枠体の係止部材に仮り装着した状態で回動カムを操作することで、固定部材をスライド移動させ、係合孔を係止部材に強く係合させ、これによって、錠を取り付けた固定部材をワンタッチ操作で枠体に固定することができる。また、回動カムを逆に回動することで、係合孔と係止部材との係合を解除でき、ワンタッチで錠が取り付けられた固定部材を枠体から分離することができる。
【００１２】
請求項２に係る発明の構成によると、前記係止部材を、軸部とそれよりも大きい頭部とで構成し、固定部材の係合孔を、頭部が挿通する大孔部と軸部のみが挿通する小孔部とを連通して構成し、固定部材のスライド変位によって小孔部が、係止部材の頭部の位置に変位することにより、固定部材を枠体に強固に係止固定できる。
【００１３】
請求項３に係る発明の構成によると、スライド変位する固定部材の係合面をテーパ状としているので、ガタつきのない強力な締め上げ固定が可能となる。
【００１４】
請求項４に係る発明の構成によると、枠体に設ける係止部材自体を回動カムに当接させる当接部に兼用することで、専用の当接部を枠体に設ける必要がなくなる。
【００１５】
請求項５に係る発明の構成によると、錠と固定部材とを一体成形するので、錠と固定部材との連結作業が不要となる。
【００１６】
【発明の実施の形態】
以下、本発明を、パチンコ遊技台の前扉と後扉の施錠装置の取り付けに利用した実施の態様を図面に基づいて説明する。
【００１７】
図１に、パチンコ遊技台の前面部分が示されている。このパチンコ遊技台は、中抜き矩形状の固定台枠１に対して、遊技盤を備えた後扉２がその左側端の支点ａを中心に揺動開閉可能に支持されるとともに、この後扉２の前面に透明ガラスを張った前扉３がその左側端の支点ｂを中心に揺動開閉可能に支持された構造となっており、後扉２と前扉３とに作用する施錠装置Ａが後扉２の右端に取り付けられている。
【００１８】
図２および図３に示すように、後扉２を構成する枠体４の裏面右端辺に沿って断面Ｌ形の鍵竿５が配備されるとともに、この鍵竿５の上下に、支点ｃ周りに上下回動可能かつ下向きに回動付勢されたフック部材６が枢着されており、各フック部材６が固定台枠１側に設けられた図示しない係止部に付勢係合されて、後扉２が固定台枠１に対して閉じ位置に固定され、各フック部材６を付勢力に抗して上向きに回動させることで、後扉２の固定台枠１に対するロックを解除することができるようになっている。
【００１９】
また、鍵竿５の上下中間部位には、後扉２の背部に突設された前扉開閉用レバー７に係合作用する操作突起８が上下スライド可能かつ上向きに付勢されて設けられており、上向き付勢力に抗して操作突起８を下方にスライド操作することで、前扉開閉用レバー７を下方に押し下げて前扉３の後扉２に対するロックを解除することができるようになっている。
【００２０】
そして、このフック部材６および操作突起８を操作する錠１２が取り付けられた固定部材としての固定板１３が、鍵竿５を挟んで枠体４に後述のようにして取り付けられている。
【００２１】
錠１２は、図２に示される前面から挿入されたキー１１によって回動されるシリンダ錠であって、この錠１２は、図４に示されるように、金属製の固定板１３の中央に形成された取り付け孔１４に挿通されて、錠１２のフランジ部１２ａが一対のネジ１５によって該固定板１３に固定されている。なお、錠１２の背面にはシリンダ錠に連設された回動軸１６が突設されており、この回動軸１６に前記フック部材６および操作突起８を操作するための回動レバー１７（図５参照）が取り付けられる。なお、固定板１３は、樹脂製であってもよい。
【００２２】
枠体４には錠１２を上下移動可能に挿入できる取り付け孔２１が形成されるとともに、この取り付け孔２１の上下箇所に、大径頭部２２ａと小径軸部２２ｂを備えた段付きピンからなる一対の係止部材２２がネジ込み固定されている。
【００２３】
また、鍵竿５にも錠１２を上下移動可能に挿通できる開口２３が形成されるとともに、その上下箇所には係止部材２２の大径頭部２２ａを挿通できる大径孔２４が設けられている。また、この鍵竿５は、図３に示される枠体４の上下に突設した突起２５に係止されて位置決めされるようになっている。
【００２４】
また、前記固定板１３の中央部位に形成された取り付け孔１４の上下両脇には同方向に傾斜する緩いテーパ面２７が形成され、このテーパ面２７に、前記係止部材２２を係止する係合孔２８が設けられている。この係合孔２８は、係止部材２２の大径頭部２２ａを挿通可能な大径孔部２８ａと小径軸部２２ｂのみを挿通可能な小孔部としての小幅溝２８ｂとを連通したカギ孔に構成されており、大径孔部２８ａが係合面としてのテーパ面２７の低い側に位置するよう配置されている。更に、前記テーパ面２７の低位側となる固定板１３の一端部には、ハンドル２９を備えた偏心状の回動カム３０がネジ込み装着されるようになっている。
【００２５】
本発明の錠取り付け構造は以上のように構成されており、取り付けに際しては、先ず図５（ａ）に示すように、枠体４に係止部材２２を突設した状態で、鍵竿５を位置決めして配置し、錠１２を固定連結した固定板１３を鍵竿５の上に重ね置いて、係止部材２２の大径頭部２２ａを係合孔２８の大径孔部２８ａに挿通させる。この時、回動カム３０は、その小径外周が一方の係止部材２２の大径頭部２２ａに対向する向きにセットしておく。
【００２６】
次に、ハンドル２９を操作して回動カム３０を回動することで、回動カム３０の大径外周を係止部材２２の大径頭部２２ａに当接させ、相対的に固定板１３を図中左方向にスライドさせる。このスライド移動によってテーパ面２７が大径頭部２２ａの下に圧入され、その楔作用によって固定板１３全体が枠体４側に締め上げられ、係止部材２２と係合孔２８とが強力に締め上げ係合される。これによって錠１２が固定板１３を介して鍵竿５を挟んだ状態で枠体４に強固に固定されるのである。
【００２７】
また、以上のようにして固定した後、ハンドル２９を操作して回動カム３０を逆向きに回動することで、上記締め上げ固定が解除され、ワンタッチ操作で錠１２、固定板１３および鍵竿５を枠体４に対して分解することができる。
【００２８】
しかも、固定板１３の係合孔２８の周囲を、スライド方向に沿ったテーパ面２７としているので、固定板１３が枠体４に密着して固定されることになり、施錠時などに加わる外力に対してもガタつきのない強固な固定となる。
【００２９】
なお、本発明は、以下のような形態で実施することも可能である。
【００３０】
▲１▼上述の実施の形態では、回動カム３０を固定板１３に設けたけれども、本発明の他の実施の形態として、回動カム３０を枠体４側に設け、固定板１３に当接部を形成して該当接部に当接させた状態で回動操作することにより、固定板１３をスライド変位させるように構成してもよい。
【００３１】
▲２▼  図６に示すように、枠体４に設けた一対のピン３１を、鍵竿５の上下端に設けた孔３２に挿通させるようにして、鍵竿５を位置決めするもよい。
【００３２】
▲３▼  上述の実施の形態では、係止部材２２を、回動カム３０に当接する当接部に兼用しているが、回動カム３０が当接する専用の当接部を枠体４側に設けてもよい。
【００３３】
▲４▼  図７に示されるように、錠１２と固定板１３とを一体成形してもよい。
【００３４】
▲５▼  係止部材２２は、段付きピンに限らず、枠体４から延びる軸部と、この軸部よりも枠体に対する投影面積が大きな頭部とを有しておれば、他の形状であってもよく、さらに、係止部材と枠体とは、一体構造であってもよい。
【００３５】
▲６▼  回動カム３０を、レンチなどの工具で回動操作できるようにしてもよい。
【００３６】
▲７▼  上述の実施の形態では、錠を取り付けた固定板は、扉の枠体に取り付けたけれども、本発明の他の実施の形態として、パチンコ台の島設備の枠体に取り付けてもよい。
【００３７】
【発明の効果】
以上の説明から明らかなように、本発明によれば以下に示すような効果が期待できる。
【００３８】
請求項１に係る発明によれば、錠の取り付けおよび取り外しが回動カムを回動するだけの簡単な操作で迅速容易に行うことができ、多数台の遊技台における処理でも能率よく行うことができ、錠および鍵竿のリサイクル性を高める上で有効となる。
【００３９】
請求項２に係る発明によれば、簡単な構造で外れ止め機能の高い確実な固定を行うことができ、信頼性を高める上で有効となる。
【００４０】
請求項３に係る発明によれば、脱着が簡単容易でありながら、ガタ付きなく強力な取り付けを行うことができ、取扱い性と性能の向上を図ることができる。
【００４１】
請求項４に係る発明によれば、部材の共用によって部品点数を節減でき、構造の簡素化と製作コストの低減に有効となる。
【００４２】
請求項５に係る発明によれば、錠の固定部材に対する取付作業が不要となる。
【図面の簡単な説明】
【図１】パチンコ遊技台の概略斜視図である。
【図２】後扉の背面から見た斜視図である。
【図３】施錠装置を分解した状態の後扉の背面から見た斜視図である。
【図４】施錠装置の要部を分解した斜視図である。
【図５】取り付け手順を示す側面図である。
【図６】鍵竿を別手段で位置決めする例の分解斜視図である。
【図７】本発明の他の実施の形態の図４に対応する斜視図である。
【符号の説明】
４        枠体
１２      錠
１３      固定板
２２      係止部材（段付きピン）
２２ａ    大径頭部
２２ｂ    小径軸部
２８      係合孔（カギ孔）
２８ａ    大径孔部
２８ｂ    小幅溝
３０      回動カム
【図１】
0003855463.tif 000002
【図２】
0003855463.tif 000003
【図３】
0003855463.tif 000004
【図４】
0003855463.tif 000005
【図５】
0003855463.tif 000006
【図６】
0003855463.tif 000007
【図７】
0003855463.tif 000008